(57)【要約】【課題】本発明は、特に給湯機能と暖房機能等、複数の機能を持つ熱源機に関するものであって、リモコンからの運転指示を各制御部に指示する際に、通信処理部と給湯制御部、暖房制御部の間で制御器内の通信処理が必要であり複雑な構成となっていた。【解決手段】熱源機１内に給湯運転制御用の通信手段Ａ４と暖房運転制御用の通信手段Ｂ６を備え、それぞれの通信手段が独立して共通のリモコン２との通信を行う。これにより制御器内部のデータ通信が不要となり、信頼性が高く、応答性の良い、通信システムを構築することができる。【選択図】図１
2006064270.tif 000002
【特許請求の範囲】
【請求項１】
熱源機と、熱源機運転のＯＮ，ＯＦＦを指示するリモコンと、熱源機の給湯運転を制御する給湯運転制御手段と、前記給湯運転制御手段と前記リモコン間の通信を行い通信データにはアドレスＡを付与する通信手段Ａと、熱源機の暖房運転を制御する暖房運転制御手段と、前記暖房運転制御手段と前記リモコン間の通信を行い通信データにはアドレスＢを付与する通信手段Ｂと、前記リモコンは一組の２芯通信線で前記通信手段Ａ及び通信手段Ｂに接続され、給湯運転制御時は相手アドレスＡへの通信データを送信し、暖房制御時は相手アドレスＢへの通信データを送信する通信装置。
【請求項２】
通信手段ＢはアドレスＢを付与したデータをリモコンに送信し、前記リモコンからの応答がない場合は通信を停止する機能を備えた請求項１記載の通信装置。
【請求項３】
リモコンは暖房制御機能有／無の識別データを熱源機に送信し、通信手段Ｂは識別データを判定し前記リモコンに暖房制御機能のない場合は通信を停止する機能を備えた請求項１記載の通信装置。
【請求項４】
通信手段Ｂはリモコンに識別符号を送信し、識別符号に応答がない場合は通信を停止する機能を備えた請求項１記載の通信装置。
【発明の詳細な説明】
【技術分野】
【０００１】
本発明は、特に熱源機の状態をリモコンでモニター・遠隔制御する通信装置に関するものである。
【背景技術】
【０００２】
従来この種の熱源機をリモコンで遠隔制御するシステムでは、各リモコンと熱源機はそれぞれ固有のアドレスを１つずつ付与される構成となっている（例えば、特許文献１参照）。
【特許文献１】特開２００２−１３５８６３号公報
【発明の開示】
【発明が解決しようとする課題】
【０００３】
しかしながら前記従来の構成では熱源機が給湯機能と暖房機能の両方を持つ複合機の場合、１つのアドレスでリモコンから受信した給湯もしくは暖房の運転指示を制御器内部で割り振り、通信処理部と給湯制御部、また通信処理部と暖房制御部の間で制御器内の通信処理が必要であり複雑な構成となっていた。
【０００４】
本発明は、前記従来の課題を解決するもので、制御器内のシステム構成が簡単で信頼性が高く、応答性の良い通信装置を提供するものである。
【課題を解決するための手段】
【０００５】
本発明は上記課題を解決するために、熱源機の給湯運転制御部と暖房運転制御部に独立した通信アドレスを付与し、それぞれが独立して共通のリモコンと通信する構成とする。これにより制御器内部のデータ通信が不要となり、信頼性、応答性の高い、通信システムを構築するものである。
【０００６】
また、リモコンに暖房制御機能が有るか無いかを判定し、暖房機能の無い場合は暖房運転制御部の通信は停止し通信回線の有効利用を行うものである。
【発明の効果】
【０００７】
本発明の通信装置は、熱源機の給湯運転制御部と暖房運転制御部がそれぞれ独立して共通のリモコンと通信することで制御器内部のデータ通信が不要となり、信頼性が高く、応答性の良い通信システムを構築することができる。
【発明を実施するための最良の形態】
【０００８】
第１の発明は、熱源機と、熱源機運転のＯＮ，ＯＦＦを指示するリモコンと、熱源機の給湯運転を制御する給湯運転制御手段と、給湯運転制御手段とリモコン間の通信を行い通信データにはアドレスＡを付与する通信手段Ａと、熱源機の暖房運転を制御する暖房運転制御手段と、暖房運転制御手段とリモコン間の通信を行い通信データにはアドレスＢを付与する通信手段Ｂと、リモコンは一組の２芯通信線で通信手段Ａ及び通信手段Ｂに接続され、給湯運転制御時は相手アドレスＡへの通信データを送信し、暖房制御時は相手アドレスＢへの通信データを送信することにより、信頼性が高く、応答性の良い通信装置を提供することができる。
【０００９】
第２の発明は、特に、第１の発明の通信手段ＢがアドレスＢを付与したデータをリモコンに送信し、リモコンからの応答がない場合は通信を停止する機能を備えたもので、不要な通信を行わず、通信回線の有効利用を行うものである。
【００１０】
第３の発明は、特に、第１の発明のリモコンが暖房制御機能有／無の識別データを熱源機に送信し、通信手段Ｂは識別データを判定しリモコンに暖房制御機能のない場合は通信を停止する機能を備えたもので、不要な通信を行わず、通信回線の有効利用を行うものである。
【００１１】
第４の発明は、特に、第１の発明の通信手段Ｂがリモコンに識別符号を送信し、識別符号に応答がない場合は通信を停止する機能を備えたもので、不要な通信を行わず、通信回線の有効利用を行うものである。
【００１２】
以下、本発明の実施の形態について、図面を参照しながら説明する。なお、この実施の形態によって本発明が限定されるものではない。
【００１３】
（実施の形態１）
図１は、本発明の第１の実施の形態におけるシステム図を示すものである。
【００１４】
図１において１は熱源機、２はリモコン、４は通信手段Ａ、６は通信手段Ｂであり、リモコン２と熱源機１は２芯通信線７で接続されており、この２芯通信線は熱源機１内部で通信手段Ａ４と通信手段Ｂ６の両方に接続されている。また、通信手段Ａ４は給湯運転制御手段３と接続されており、通信手段Ｂ６は暖房運転制御手段５と接続されている。
【００１５】
図２に通信データ構成図を示す。リモコン２にはアドレス０が付与され、熱源機１の内部で通信手段Ａ４つまり給湯運転制御用としてアドレスＦ、通信手段Ｂ６つまり暖房運転制御用としてアドレスＥが付与されている。通信データの構成は先頭が送信元アドレス（ＳＡ）、次に送信先アドレス（ＤＡ）、次にデータの種類を示すパケットファンクションコード（ＰＦＣ）、次にデータそのもの、最後にデータのチェックコード（ＢＣＣ）となっている。
【００１６】
例えばリモコン２から給湯運転指示を出す時は通信データ上の送信元アドレス（ＳＡ）を自身のアドレス０とし、送信先アドレス（ＤＡ）を通信手段Ａ４のアドレスＦとし、給湯運転指示を示すＰＦＣとデータを添え熱源機１に送る。
【００１７】
熱源機１では通信制御手段Ａ４のみがこのデータに反応して応答信号を返し、この情報を給湯運転制御手段３に流し、熱源機１が給湯運転を開始する。
【００１８】
またリモコン２から暖房運転指示を出す時は通信データ上の送信元アドレス（ＳＡ）を自身のアドレス０とし、送信先アドレス（ＤＡ）を通信手段Ｂ６のアドレスＥとし、暖房運転指示を示すＰＦＣとデータを添え熱源機１に送る。
【００１９】
熱源機１では通信制御手段Ｂ６のみがこのデータに反応して応答信号を返し、この情報を暖房運転制御手段５に流し、熱源機１が暖房運転を開始する。
【００２０】
以上のように本実施の形態においては、リモコン２が給湯運転指示を送信する時と暖房運転指示を出す時で送信先アドレスを変更することで、熱源機のそれぞれの制御手段のみが応答し運転を開始する。これにより信頼性が高く、応答性の良い通信装置を提供することができる。
【００２１】
なお、熱源機１は、石油・ガス給湯機、貯湯式電気給湯機、ヒートポンプ給湯機、燃料電池コージェネ等である。
【００２２】
（実施の形態２）
図３は本発明の第２の実施の形態における通信データの流れ図である。熱源機１に電源が入ると、通信手段Ｂ６が送信元アドレス（ＳＡ）をＥ、送信先アドレスを０にしてリモコン２に送信する（ｓ１）。この送信に対してリモコン２が応答（ＡＣＫ）を返してきた場合はリモコンに暖房制御機能があると通信手段Ｂ６が判定し、以降も通信を継続する（ｓ２）。
【００２３】
逆に通信手段Ｂ６が送信元アドレス（ＳＡ）をＥ、送信先アドレス（ＤＡ）を０にしてリモコン２に送信（ｓ３）してもリモコン２が応答（ＡＣＫ）を返してこない場合はリモコンに暖房制御機能がないと通信手段Ｂ６が判定し、以降の通信を停止する（ｓ４）。
【００２４】
このような構成により、リモコンに暖房制御機能が無い場合は暖房制御用の通信を停止することで、通信回線の有効利用を行い、信頼性の高い通信装置を提供することができる。
【００２５】
（実施の形態３）
図４は本発明の第３の実施の形態における通信データの流れ図である。
【００２６】
熱源機１に電源が入ると同時にリモコン２にも電源が入る。この時、リモコン２が暖房制御機能を持つ場合は送信元アドレス（ＳＡ）を０、送信先アドレス（ＤＡ）をＥ、データ種別（ＰＦＣ）及びデータに暖房制御機能有り情報を付加して熱源機１に送信する（ｓ５）。この送信に対して通信手段Ｂ６が応答（ＡＣＫ）を返し、リモコン２に暖房制御機能があると判定し、以降も通信を継続する（ｓ６）。
【００２７】
逆に、リモコン２が暖房制御機能を持たない場合は送信元アドレス（ＳＡ）を０、送信先アドレス（ＤＡ）をＥ、データ種別（ＰＦＣ）及びデータに暖房制御機能無し情報を付加して熱源機１に送信する（ｓ７）。この送信に対して通信手段Ｂ６が応答（ＡＣＫ）を返し、リモコン２に暖房制御機能が無いと判定し、以降の通信を停止する（ｓ８）。
【００２８】
このような構成により、リモコンに暖房制御機能が無い場合は暖房制御用の通信を停止することで、通信回線の有効利用を行い、信頼性の高い通信装置を提供することができる。
【００２９】
（実施の形態４）
図５は本発明の第４の実施の形態における通信データの流れ図である。
【００３０】
熱源機１に電源が入ると、通信手段Ｂ６が送信元アドレス（ＳＡ）をＥ、送信先アドレスを０、データ種別（ＰＦＣ）及びデータに暖房制御機能の識別符号を付加してリモコン２に送信する（ｓ９）。この送信に対してリモコン２が応答（ＡＣＫ）を返してきた場合はリモコンに暖房制御機能があると通信手段Ｂ６が判定し、以降も通信を継続する（ｓ１０）。
【００３１】
逆に通信手段Ｂ６が送信元アドレス（ＳＡ）をＥ、送信先アドレス（ＤＡ）を０、データ種別（ＰＦＣ）及びデータに暖房制御機能の識別符号を付加してリモコン２に送信（ｓ１１）してもリモコン２が応答（ＡＣＫ）を返してこない場合はリモコンに暖房制御機能がないと通信手段Ｂ６が判定し、以降の通信を停止する（ｓ１２）。
【００３２】
このような構成により、リモコンに暖房制御機能が無い場合は暖房制御用の通信を停止することで、通信回線の有効利用を行い、信頼性の高い通信装置を提供することができる。
【産業上の利用可能性】
【００３３】
以上のように本発明にかかる通信装置は、１つの熱源機に給湯機能と暖房機能と風呂追いだき機能など複数の機能を持つものにおいて、それぞれの制御部が同一の通信線を介して独立してリモコンと通信を行うもので、複合熱源機の通信装置として広く適用することが可能である。
【図面の簡単な説明】
【００３４】
【図１】本発明の実施の形態１における通信装置のシステム図
【図２】本発明の実施の形態１における通信データ構成図
【図３】本発明の実施の形態２における通信データの流れ図
【図４】本発明の実施の形態３における通信データの流れ図
【図５】本発明の実施の形態４における通信データの流れ図
【符号の説明】
【００３５】
１  熱源機
２  リモコン
３  給湯運転制御手段
４  通信手段Ａ
５  暖房運転制御手段
６  通信手段Ｂ
７  ２芯通信線
【図１】
2006064270.tif 000003
【図２】
2006064270.tif 000004
【図３】
2006064270.tif 000005
【図４】
2006064270.tif 000006
【図５】
2006064270.tif 000007